(57)【要約】      （修正有）【課題】調整可能な重量体により、回す際にかかる力を調節して、高い運動効率を得るフラフープを提供する。【解決手段】フラフープは主として、外部リング１０と、内部リング２０と、調整式遠心重量体装置３０と、二つのブリップ４０で構成する。該外部リング１０は環状部材であり、外周に環状溝１１が形成されると共に、内周に穿通溝１４１が穿設されるベルト固設部１４と、それぞれ装着穴を有する二つの装着部１２が形成され、該穿通溝１４１には調節可能であるベルトが貫設され、フラフープを使用するときに、腰部に締め付けて固定する。これによりフラフープが落下しないように腰部の周りに位置決めして、外部リング１０を腰振り動作により回転させる。【選択図】図１
0003149551.tif 000002
【実用新案登録請求の範囲】
【請求項１】
環状部材である外部リング（１０）と、環状部材であり、回転できるように該外部リング（１０）内に取り付けられる内部リング（２０）と、該内部リング（２０）の一箇所に取り付けられる調整式遠心重量体装置（３０）とを備えることを特徴とするフラフープ。
【請求項２】
前記外部リング（１０）の外周面に環状溝（１１）が凹設され、
前記内部リング（２０）は、内部空間（２０１）を有すると共に、それぞれ該内部空間（２０１）に連通する複数の貫通穴（２０３）を含む複数の貫通穴セットが径方向に穿通される中空体であり、
前記内部空間（２０１）における前記各貫通穴セットと対応する位置に、一部が対応する貫通穴（２０３）から露出して前記外部リング（１０）の環状溝（１１）の壁面と接触する回動部材（２０５）が回転可能に設けられることを特徴とする請求項１に記載のフラフープ。
【請求項３】
前記外部リング（１０）の内周にベルト（１５）が設けられることを特徴とする請求項１に記載のフラフープ。
【請求項４】
前記外部リング（１０）に少なくとも一つのグリップ（４０）が設けられることを特徴とする請求項３に記載のフラフープ。
【請求項５】
前記内部リング（２０）に連結部（２１）が設けられ、
前記調整式遠心重量体装置（３０）は、収容室（３１１）が形成されると共に、上部に前記連結部（２１）に枢設される連結板（３１２）が延設ケース（３１）と、着脱可能に該ケース（３１）の収容室（３１１）に設置される錘（３２）と、着脱可能に該ケース（３１）に設けられ、該収容室（３１１）を覆うためのカバー（３２）と、を含むことを特徴とする請求項２に記載のフラフープ。
【請求項６】
前記内部リング（２０）における連結部（２１）に軸穴（２１１）が穿設されると共に、前記ケース（３１）における連結板（３１２）に枢設穴（３１４）が穿設され、該軸穴（２１１）と枢設穴（３１４）には、一端に連結板（３１２）へ当接する当接部（３４１）が形成されると共に、他端に位置決め部材（３５）が取り付けられるピン（３４）が挿設されることを特徴とする請求項５に記載のフラフープ。
【請求項７】
前記外部リング（１０）の内周には、穿通溝（１４１）が穿設されるベルト固設部（１４）が形成され、前記ベルト（１５）は該穿通溝（１４１）に貫設されることを特徴とする請求項３に記載のフラフープ。
【請求項８】
前記外部リング（１０）の内周にはそれぞれ、装着穴（１２１）を有する二つの装着部（１２）が形成され、前記グリップ（４０）の底部に嵌合軸（４１）が形成され、前記グリップ（４０）は、該嵌合軸（４１）を介して該装着穴（１２１）に取り付けられることを特徴とする請求項４に記載のフラフープ。
【請求項９】
前記外部リング（１０）に、電気的に接続されるモニター（１６１）とカウンター（１６２）とセンサー（１６３）とを有するコントロールパネル（１６）が設けられると共に、前記内部リング（２０）に該センサー（１６３）に対応する送信器（２００）が設置されることを特徴とする請求項１乃至８のいずれかに記載のフラフープ。
【請求項１０】
前記調整式遠心重量体装置（３０）のカバー（３２）は、装着溝（３３１１）が穿設されるカバー部（３３１）と、透光性を有すると共に、該カバー部（３３１）に設けられるマスク部（３３２）とを有し、
前記調整式遠心重量体装置（３０）は、さらに該装着溝（３３１１）に装着される発光ユニット（３７）を有し、
前記発光ユニット（３７）は、該装着溝（３３１１）に設置される固設板（３７１）と、該固設板（３７１）に取り付けられる回路板（３７２）と、該固設板（３７１）に取り付けられると共に、該回路板（３７２）に接続される少なくとも一つの発光体（３７３）と、カバー（３２）から露出するように該固設板（３７１）に取り付けられると共に、該回路板（３７２）に接続されるボタン（３７５）とを含むことを特徴とする請求項９に記載のフラフープ。
【考案の詳細な説明】
【技術分野】
【０００１】
本考案は、特に調整可能な重量体により、回す際にかかる力を調節して、高い運動効率を得るフラフープに関するものである。
【背景技術】
【０００２】
従来のフラフープはリング状であり、使用するときは、腰部の周りに位置させ、落下しないように腰を使ってフラフープを連続的に回転させて使用するものである。このように、腰部の周りで回転させることにより、腰部の筋肉を鍛えることができるので、脂肪の燃焼させるなど、健康増進効果がある。
【考案の概要】
【考案が解決しようとする課題】
【０００３】
しかしながら、前記従来のフラフープには、主に以下に示すような欠点があった。
先ず、従来のフラフープには腰部に位置決め手段がないため、初心者にとって、落下しないように回転を継続させる正確な腰部の振り方を習得することは、とても困難であることから、興味を失わせてしまうことが多かった。
【０００４】
また、従来のフラフープは重量が均一であり、外に重量体をつけることもできなく、使いなれた使用者にとっては、あまり力をかけなくても回すことができるため、フラフープの重量若しくは使用難易度を上げなければ、フラフープの運動効果を得難いという問題があった。
【０００５】
更に、従来のフラフープは回転中は絶えず腰部に当たるため、使用者が運動傷害を引き起こしてしまう恐れがあった。
【０００６】
そこで、案出されたのが本考案であって、従来のフラフープにおける、初心者にとって使用しにくく、使いなれた使用者にとって使用難易度が調節できないという欠点を解決できるフラフープを提供することを目的としている。
【課題を解決するための手段】
【０００７】
本願の請求項１の考案は、環状部材である外部リング（１０）と、環状部材であり、回転できるように該外部リング（１０）内に取り付けられる内部リング（２０）と、該内部リング（２０）の一箇所に取り付けられる調整式遠心重量体装置（３０）とを備えることを特徴とするフラフープ、を提供する。
【０００８】
本願の請求項２の考案は、前記外部リング（１０）の外周面に環状溝（１１）が凹設され、前記内部リング（２０）は、内部空間（２０１）を有すると共に、それぞれ該内部空間（２０１）に連通する複数の貫通穴（２０３）を含む複数の貫通穴セットが径方向に穿通される中空体であり、前記内部空間（２０１）における前記各貫通穴セットと対応する位置に、一部が対応する貫通穴（２０３）から露出して前記外部リング（１０）の環状溝（１１）の壁面と接触する回動部材（２０５）が回転可能に設けられることを特徴とする請求項１に記載のフラフープ、を提供する。
【０００９】
本願の請求項３の考案は、前記外部リング（１０）の内周にベルト（１５）が設けられることを特徴とする請求項１に記載のフラフープ、を提供する。
【００１０】
更に、本願の請求項４の考案は、前記外部リング（１０）に少なくとも一つのグリップ（４０）が設けられることを特徴とする請求項３に記載のフラフープ、を提供する。
【００１１】
本願の請求項５の考案は、前記内部リング（２０）に連結部（２１）が設けられ、前記調整式遠心重量体装置（３０）は、収容室（３１１）が形成されると共に、上部に前記連結部（２１）に枢設される連結板（３１２）が延設ケース（３１）と、着脱可能に該ケース（３１）の収容室（３１１）に設置される錘（３２）と、着脱可能に該ケース（３１）に設けられ、該収容室（３１１）を覆うためのカバー（３２）と、を含むことを特徴とする請求項２に記載のフラフープ、を提供する。
【００１２】
本願の請求項６の考案は、前記内部リング（２０）における連結部（２１）に軸穴（２１１）が穿設されると共に、前記ケース（３１）における連結板（３１２）に枢設穴（３１４）が穿設され、該軸穴（２１１）と枢設穴（３１４）には、一端に連結板（３１２）へ当接する当接部（３４１）が形成されると共に、他端に位置決め部材（３５）が取り付けられるピン（３４）が挿設されることを特徴とする請求項５に記載のフラフープ、を提供する。
【００１３】
本願の請求項７の考案は、前記外部リング（１０）の内周には、穿通溝（１４１）が穿設されるベルト固設部（１４）が形成され、前記ベルト（１５）は該穿通溝（１４１）に貫設されることを特徴とする請求項３に記載のフラフープ、を提供する。
【００１４】
本願の請求項８の考案は、前記外部リング（１０）の内周にはそれぞれ、装着穴（１２１）を有する二つの装着部（１２）が形成され、前記グリップ（４０）の底部に嵌合軸（４１）が形成され、前記グリップ（４０）は、該嵌合軸（４１）を介して該装着穴（１２１）に取り付けられることを特徴とする請求項４に記載のフラフープ、を提供する。
【００１５】
本願の請求項９の考案は、前記外部リング（１０）に、電気的に接続されるモニター（１６１）とカウンター（１６２）とセンサー（１６３）とを有するコントロールパネル（１６）が設けられると共に、前記内部リング（２０）に該センサー（１６３）に対応する送信器（２００）が設置されることを特徴とする請求項１乃至８のいずれかに記載のフラフープ、を提供する。
【００１６】
本願の請求項１０の考案は、前記調整式遠心重量体装置（３０）のカバー（３２）は、装着溝（３３１１）が穿設されるカバー部（３３１）と、透光性を有すると共に、該カバー部（３３１）に設けられるマスク部（３３２）とを有し、前記調整式遠心重量体装置（３０）は、さらに該装着溝（３３１１）に装着される発光ユニット（３７）を有し、前記発光ユニット（３７）は、該装着溝（３３１１）に設置される固設板（３７１）と、該固設板（３７１）に取り付けられる回路板（３７２）と、該固設板（３７１）に取り付けられると共に、該回路板（３７２）に接続される少なくとも一つの発光体（３７３）と、カバー（３２）から露出するように該固設板（３７１）に取り付けられると共に、該回路板（３７２）に接続されるボタン（３７５）とを含むことを特徴とする請求項９に記載のフラフープ、を提供する。
【考案の効果】
【００１７】
本考案は上記の課題を解決するものであり、使用時には、ベルトを腰部に締め付けて固定してグリップを握持し、腰部を振って内部リングを外部リング及び腰部に対して回転させる。その際、錘が設置されている調整式遠心重量体装置は遠心力により水平方向に向かって回動し、内部リングの回転速度の上昇に伴って浮き上がることから、調整式遠心重量体装置が浮き上がった高さにより、腰振り動作に費やした力の大きさが分かる。また、グリップを握持することで、フラフープが落下しないように腰部の周りに位置決めすることができるので、初心者でも簡単に且つ上手に使用することができる。更に、調整式遠心重量体装置の重量を調整することにより、使いなれた使用者は、より使用難易度を上げることができるので、運動の効率を向上させることができる。
【図面の簡単な説明】
【００１８】
【図１】本考案に係るフラフープを示す斜視図である。
【図２】本考案に係るフラフープのベルトを省略した斜視図である。
【図３】本考案に係るフラフープの部分分解斜視図である。
【図４】本考案に係るフラフープの外部リングを省略した斜視図である。
【図５】本考案に係るフラフープの斜視断面図である。
【図６】本考案に係るフラフープにおける調整式遠心重量体装置のケースの部分拡大正面図である。
【図７】本考案に係るフラフープにおける調整式遠心重量体装置の拡大斜視図である。
【図８】本考案に係るフラフープにおける調整式遠心重量体装置のカバーの拡大背面斜視図である。
【図９】本考案に係るフラフープにおけるコントロールパネルと発信器の構成を示す図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１は本考案に係るフラフープを示す斜視図であり、図２は本考案に係るフラフープのベルトを省略した斜視図であり、図３は本考案に係るフラフープの部分分解斜視図であり、図４は本考案に係るフラフープの外部リングを省略した斜視図であり、図５は本考案に係るフラフープの斜視断面図であり、図６は本考案に係るフラフープにおける調整式遠心重量体装置のケースの部分拡大正面図であり、図７は本考案に係るフラフープにおける調整式遠心重量体装置の拡大斜視図であり、図８は本考案に係るフラフープにおける調整式遠心重量体装置のカバーの拡大背面斜視図であり、図９は本考案に係るフラフープにおけるコントロールパネルと発信器の構成を示す図である。
【００２１】
図１乃至図９に示すように、本考案に係るフラフープは、外部リング（１０）と、内部リング（２０）と、調整式遠心重量体装置（３０）と、二つのブリップとを備えるものである。
図１及び図２に示すように、該外部リング（１０）は環状部材であり、外周に環状溝（１１）が形成されると共に、内周に穿通溝（１４１）が穿設されるベルト固設部（１４）と、それぞれ装着穴（１２１）を有する二つの装着部（１２）が形成され、該穿通溝（１４１）には調節可能であるベルトが貫設され、フラフープを使用するときに、腰部に締め付けて固定するように使用する。これによりフラフープが落下しないように腰部の周りに位置決めすることができると共に、外部リング（１０）を腰振り動作により回転させることができる。
【００２２】
図３乃至図５に示すように、内部リング（２０）は環状部材であると共に、内部空間（２０１）を有する中空体であり、該内部リング（２０）は、回転可能な状態で外部リング（１０）内に取り付けられ、外周に軸穴（２１１）が穿設される連結部（２１）が形成されると共に、それぞれ前記内部空間（２０１）に連通する複数の貫通穴（２０３）を含む複数の貫通穴セットが径方向に穿通され、それらの貫通穴（２０３）は、内部リング（２０）の頂部、底部と内周にそれぞれ形成されている。
【００２３】
前記内部空間（２０１）における、各貫通穴セットと対応する位置にそれぞれ、一部が対応する貫通穴（２０３）から露出して前記外部リング（１０）の環状溝（１１）の壁面と接触する回動部材（２０５）が回転可能に設けられ、その動きによって該回動部材（２０５）は環状溝（１１）の頂面（１１a）、側面（１１b）または底面（１１c）に接触する。尚、前記回動部材（２０５）はベアリングボールであってもよい。
【００２４】
図３、図４及び図６に示すように、該調整式遠心重量体装置（３０）には、収容室（３１１）が形成されると共に、上部に、連結部（２１）に枢設される連結板（３１２）が延設されるケース（３１）と、着脱可能に該ケース（３１）の収容室（３１１）に設置される錘（３２）と、着脱可能に該ケース（３１）に設けられ、該収容室（３１１）を覆うためのカバー（３２）とを含み、該連結板（３１２）に枢設穴（３１４）が穿設され、該枢設穴（３１４）と軸穴（２１１）に、一端に連結板（３１２）へ当接する当接部（３４１）が形成されると共に、他端に連結板（３１２）へ当接する位置決め部材（３５）が取り付けられるピン（３４）が挿設される。
【００２５】
また、図４に示す本実施例においては、連結部（２１）の両側端（２１５）の近傍にそれぞれ貫通穴セットが穿設され、それらの貫通穴セットに回動部材（２０５）が設けられるので、前記調整式遠心重量体装置（３０）の重量を該連結部（２１）の両側端(２１５)の近傍に対称に設けられた二つの回動部材（２０５）が均等に受けることから、フラフープを回すときに該調整式遠心重量体装置（３０）によるトルクを低減させることができるので、内部リング（２０）を前記外部リング（１０）内においてスムーズに回転させることができる。
【００２６】
図３に示すように、グリップ（４０）は、底部に嵌合軸（４１）が形成され、該嵌合軸（４１）を介して前記外部リング（１０）における装着部（１２）の装着穴（１２１）に取り付けらる。
【００２７】
図３、図７及び図８に示す本実施例においては、調整式遠心重量体装置（３０）のカバー（３２）は、カバー部（３３１）と、マスク部（３３２）とを有し、該カバー部（３３１）は装着溝（３３１１）が穿設されると共に、該マスク部（３３２）は透光性を有し、該カバー部（３３１）に設けられる。また、前記装着溝（３３１１）には、該装着溝（３３１１）に設置される固設板（３７１）と、該固設板（３７１）に取り付けられる回路板（３７２）と、該固設板（３７１）に取り付けられると共に、該回路板（３７２）に接続される少なくとも一つの発光体（３７３）と、カバー（３２）から露出するように該固設板（３７１）に取り付けられると共に、該回路板（３７２）に接続されるボタン（３７５）とを含む発光ユニット（３７）が装着され、この構成によれば、該ボタン（３７５）を押すことによって該発光体（３７３）を点滅させることができるので、フラフープの遊戯性を向上させることができる。尚、前記発光体（３７３）は発光ダイオードであってもよい。
【００２８】
図９に示す本実施例においては、外部リング（１０）に、電気的に接続されるモニター（１６１）とカウンター（１６２）とセンサー（１６３）とを有するコントロールパネル（１６）が設けられると共に、内部リング（２０）に該センサー（１６３）に対応する送信器（２００）が設置され、該送信器（２００）が内部リング（２０）の回転につれて該コントロールパネル（１６）を通過すると、送信器（２００）の信号が該センサー（１６３）により検出されて該カウンター（１６２）に伝送され、その後、該カウンター（１６２）が該信号を受け取り、回転回数を累計して該モニター（１６１）に表示させる。また、前記カウンター（１６２）は、回転速度検出機能を有し、内部リング（２０）の回転速度を検出してモニター（１６１）に表示させることができるので、使用者に回転回数や回転速度を知らせることができる。
【産業上の利用可能性】
【００２９】
本考案は上記の構成を有するので、以下に示すような利点がある。
１． 調整式遠心重量体装置により、使用者がフラフープを使用するときの運動量を増加させることができるので、従来のフラフープより高い運動効果を提供することができる。
２． 調整式遠心重量体装置の重量が調整可能であることから、初心者は自由に錘の数を減らして使用難易度を下げることができる一方、使いなれた使用者は錘の数を増やして使用難易度を上げることができるので、何人でも気軽に使用することができる。
３． 本考案を使用するときには、使用者がグリップを握持し、ベルトを腰部に締め付けて使用することから、フラフープが使用中に落下することはないので、初心者でも安心して使用することができる。    
【符号の説明】
【００３０】
１０        外部リング
１１        環状溝
１１a        頂面
１１b        側面
１１c        底面
１２        装着部
１２１      装着穴
１４        ベルト固設部
１４１      穿通溝
１５        ベルト
１６        コントロールパネル
１６１        モニター
１６２        カウンター
１６３        センサー
２０          内部リング
２００        送信器
２０１        内部空間
２０３        貫通穴
２０５        回動部材
２１          連結部
２１１        軸穴
２１５        両側端
３０          調整式遠心重量体装置
３１          ケース
３１１        収容室
３１２        連結板
３１３        末端
３１４        枢設穴
３２          錘
３３          カバー
３３１        カバー部
３３１１      装着溝
３３２        マスク部
３４          ピン
３４１        当接部
３５          位置決め部材
３７          発光ユニット
３７１        固設板
３７２        回路板
３７３        発光体
３７５        ボタン
４０          グリップ
４１          嵌合軸
【図１】
0003149551.tif 000003
【図２】
0003149551.tif 000004
【図３】
0003149551.tif 000005
【図４】
0003149551.tif 000006
【図５】
0003149551.tif 000007
【図６】
0003149551.tif 000008
【図７】
0003149551.tif 000009
【図８】
0003149551.tif 000010
【図９】
0003149551.tif 000011